【事件の表示】
　平成　３年特許願第２０７１９９号「遊技設備装置」拒絶査定不服審判事件〔平成　５年　２月　９日出願公開、特開平　５−　３１２２２〕について、次のとおり審決する。
【結　論】
　本件審判の請求は、成り立たない。
【理　由】
１．手続の経緯・本願発明
　本願は、平成３年７月２５日の出願であって、平成１１年７月８日付け（平成１１年７月２７日発送）で拒絶の理由が通知され、平成１２年４月２６日付け（平成１２年５月１６日発送）で拒絶査定され、平成１２年６月８日付けで審判請求されたものである。そして、本願の請求項１及び２に係る発明は、平成１０年７月２１日付けの手続補正書及び審判請求に伴って提出された平成１２年６月８日付けの手続補正書によって補正された明細書及び図面の記載からみて、その特許請求の範囲の請求項１及び２に記載された「遊技設備装置」にあると認められるところ、その請求項１に記載された発明（以下、「本願発明」という。）は次のとおりのものである。
　
「　所定数の遊技球を循環可能に封入し、この封入球を弾発して遊技を行う遊技機と、該封入球の保守管理を行う管理手段とを備えた遊技設備装置において、
　前記遊技機は、
　所定の封入球交換指令に基づいて、前記封入球の交換を実行する封入球交換手段を含み、
　前記管理手段は、
　営業時間以外の電源投入であるか否かを判定する電源投入判定手段と、
　前記遊技機において使用されている前記封入球が交換時期に至ったことを判定する交換時期判定手段と、
　前記交換時期判定手段の判定結果および前記電源投入判定手段の判定結果に基づいて、前記封入球交換手段に対し、前記封入球の交換を指令する封入球交換指令手段と、
を備えたことを特徴とする遊技設備装置。」
　
　なお、本願については、平成１１年９月２４日付けの手続補正がされたが、これは平成１１年１０月２６日付け（平成１１年１１月３０日発送）の補正の却下の決定により却下された。
　
２．引用刊行物記載の発明
　これに対して、原査定の拒絶の理由に引用された、本願の出願日前である平成３年３月１９日に頒布された特開平３−６３０８３号公報（以下、「引用刊行物」という。）には、図面と共に次の事項が記載されている。
　
（１−１）「この発明に係るパチンコ遊技機は、・・・発射装置によって発射される遊技球が１個ずつ供給されて待機される発射部と、該発射部から発射された遊技球によって遊技が行われる遊技領域と、前記発射部に遊技球を供給する供給口および前記遊技領域からの遊技終了後の遊技球を回収する回収口を有し前記発射部および遊技領域とともに１つの巡環経路を構成しその巡環経路内を巡環する遊技球が貯留される封入球収容部と・・・を備えた構成とした。」（第２ページ左上欄第１６行〜同ページ右上欄第１６行）
　
（１−２）「賞球排出樋１０１の・・・下端部には前記賞球排出樋１０１中を流下する賞品球を排出状態と封入状態とに切り替える封入球取込装置１０４が設置されている。」（第２ページ右下欄第１８〜第３ページ左上欄第３行）
　
（１−３）「第２図には封入球の循環経路や賞品球の排出経路等を表したパチンコ遊技機１の背面図を示す。
　遊技盤３の裏側には遊技盤３に設けられた各種入賞部・・・に入賞した遊技球（入賞球）を集合させる集合樋５１が設けられている。
　この集合樋２１の下部には該集合樋５１によって集められた入賞球を・・・封入樋１０７中に回収する入賞球回収樋５２が配設され、・・・パチンコ遊技機１の裏側中央下部寄り位置には前記遊技盤３に設けられたいずれの入賞部・・・にも入賞できなかったアウト球を遊技盤３に設けられたアウト孔３３を介して・・・封入樋１０７中に回収するアウト球回収樋５４が配設され」（第３ページ左上欄第１７行〜同ページ右上欄第１３行）
　
（１−４）「賞球排出樋１０１の下流側には第２の分岐部が設けられ、該分岐部にて本流部１０１と封入樋１０７とに分岐し、その分岐部には賞球排出樋１０１を流下する予備球（賞品球）を本流側と球抜樋１０５側とに切り換える封入球取込装置１０８が設置されている。」（第４ページ左上欄第３〜８行）
　
（１−５）「封入樋１０７の下流端部には封入球を発射部４０３に導く供給口・・・が設けられ、該供給口の近傍位置には該供給口を開閉して封入球を１個ずつ発射部４０３に供給する球供給装置１２８が設置されている。また、その供給口より若干上流に位置する封入樋１０７の下流部分には封入球回収樋１２７が封入樋１０７と連通して設けられ、該封入球回収樋１２７の入口には該入口を開閉する封入球排出装置１２５が設置されている。」（第４ページ左上欄第１７行〜同ページ右上欄第６行）
　
（１−６）「パチンコ遊技機１の裏側上部には・・・各種検出器・・・からの検出信号等に基づいて・・・発射球供給装置１２８、封入球排出装置１２５、・・・排出措置１０２および封入切換装置１０８を作動・停止（オン・オフ）させる制御装置の設置された制御基板３００が設置されている。・・・パチンコ遊技機１の発射球の取込みや賞球排出および封入等の制御処理は前記制御装置３００によって・・・制御処理される。」（第４ページ右上欄第９〜２０行）
　
（１−７）「電源スイッチ操作によりパチンコ遊技機に電気が供給された初期状態においては、・・・この初期時には、先ず、封入球排出装置１２５が作動（オン）されて封入球排出樋１２７の入口が開放され、それによって、封入樋１０７中の封入球が全て封入球回収樋１２７を介して島設備の回収樋（図外）中に回収される。
　その後、その封入球排出装置１２５が停止（オフ）されて封入球排出樋１２７の入口が閉じられるとともに封入球取込装置１０８が作動されて賞球排出樋１０１の第２の分岐部の封入樋１０７側の入口が開放される。しかる後、排出装置１０２が作動（オン）されて貯留タンク１００中の所定個数の予備球が賞球排出樋１０１を介して封入樋１０７中に流入される。そして、その後、排出装置１０２が停止（オフ）されて賞球排出樋１０１の通路が閉じられるとともに、封入球取込装置１０８が停止（オフ）されて第２の分岐部の封入樋１０７への入口側が閉じられることによって封入樋１０７中の封入球の入れ替えが終了される。
　このようにパチンコ遊技店において毎朝パチンコ遊技機の電源がオンされるごとに、封入球の入れ替えが行われることによって、封入球による遊技盤３の汚れが防止されるようになっている。」（第４ページ左下欄第１行〜同ページ右下欄第１７行）
　
（１−８）「遊技者が供給皿５中に遊技球を入れて操作ダイヤル２のタッチ検出器２１に手が触れると、・・・供給皿５中の遊技球（実球）が１個島設備の回収樋・・・中に回収され・・・封入樋１０７中の封入球が１個発射部４０３に供給され・・・発射レバー４０２によって、その発射部４０３に待機している遊技球が遊技盤１の遊技領域３に向けて発射される。」（第４ページ右下欄第１８行〜第５ページ左上欄第１６行）
　
（１−９）「遊技盤３の遊技領域３１中に発射された遊技球がその遊技領域３１中のいずれの入賞部・・・にも入賞できなかったときには、その遊技球（アウト球）はアウト孔３３を介して遊技盤３の裏側に至ってアウト球回収樋５４中を流下して封入樋１０７中に回収される。・・・一方、遊技盤３の遊技領域中に発射された遊技球がその遊技領域中のいずれかの入賞部・・・に入賞したときには、その入賞した遊技球（入賞球）が全て遊技盤３の裏側の集合樋５１に集められて入賞球回収樋５２中を流下して封入樋１０７中に回収される。」（第５ページ右上欄第５〜１７行）
　
（１−１０）「賞球排出および封入等の制御処理をマイクロコンピュータ（ＣＰＵ）８００等を具えた役物制御装置を用いて行うようになっている。
　制御基盤２００に設置された役物制御装置はマイクロコンピュータ８００を具え」（第６ページ左上欄第１２〜１７行）
　
（１−１１）「マイクロコンピュータ８００の・・・リセット端子には電源オン検出信号８１５・・・がＯＲ回路８１７を介して入力されるようになっている。」（第６ページ左下欄第３〜７行）
　
（１−１２）「ルーチンＲ５０においては停電フラグが「１」となっているか否か（停電後の電源投入か否か）を判定する。そして、その結果、「１」となっていない（停電後の電源投入ではない）と判定したときには最初の電源投入の流れとして・・・一連の処理を行ってから・・・ホールト（ＨＡＬＴ）処理に移行する。・・・一方、「１」となっていると判定したときには停電だったときの流れとして・・・一連の処理を行ってから・・・ホールト（ＨＡＬＴ）処理に移行する。」（第７ページ左下欄第９行〜同ページ右下欄第１５行）
　
（１−１３）「封入処理は電源が投入される毎、通常では遊技店の開店前に、自動的に封入球の入れ替えが行われ、それによって、遊技盤３の盤面が汚れるのが防止される。」（第９ページ右上欄第１７〜２０行）
　
　上記記載事項（１−１）における「巡環経路」は「循環経路」の誤記であることは明らかである。
　上記記載事項（１−７）によると、パチンコ機１の封入球は、封入球回収樋１２７から排出され、島設備の回収樋中に回収されるものであるから、引用刊行物には、パチンコ機１と島設備とを備えた遊技設備装置が記載されているといえる。
　よって、上記記載事項（１−１）乃至（１−１３）及び図面の記載によると、引用刊行物には、
「所定個数の遊技球を循環経路内に封入し、この封入球を発射して遊技を行うパチンコ遊技機１と、パチンコ遊技機１の封入球回収樋１２７から排出された封入球を回収して収納する回収樋を有する島設備とを備えた遊技設備装置において、
　前記パチンコ遊技機１は
　電源スイッチ操作により、封入球排出装置１２５、封入球取込装置１０８、排出装置１０２を制御して封入樋１０７中の封入球を入れ替える制御処理を行うマイクロコンピュータ８００を含む役物制御装置を備え、
　電源が投入されるごとに、自動的に封入球の入れ替えが行われるようにして、封入球による遊技盤３の汚れを防止するようにした遊技設備装置。」
の発明（以下、「引用発明」という。）が記載されていると認められる。
　
　
３．対比
　本願発明と引用発明を対比すると、引用発明における「所定個数」、「循環経路内に封入し」、「発射」、「パチンコ遊技機１」、「封入球排出装置１２５、封入球取込装置１０８、排出装置１０２及び役物制御装置」が、本願発明における「所定数」、「循環可能に封入し」、「弾発」、「遊技機」、「封入球交換手段」にそれぞれ対応する。
　引用発明は、電源スイッチ操作により封入球を入れ替えるものであるから、引用発明が電源の投入を判定する手段及び封入球の交換を指令する手段を有することは、当業者には明らかである。
　また、引用発明は、遊技盤３の汚れを防止するために封入球の入れ替えを行うものであるから、引用発明は封入球の保守管理を行っており、パチンコ遊技機１がそのための管理手段を備えているものと当業者には理解できる。
　よって、次の一致点において両者の構成は一致し、次の各相違点において両者の構成は相違する。
　
（一致点）
　所定数の遊技球を循環可能に封入し、この封入球を弾発して遊技を行う遊技機を備え、該封入球の保守管理を行う管理手段を含んだ遊技設備装置において、
　前記遊技機は、
所定の封入球交換指令に基づいて、前記封入球の交換を実行する封入球交換手段を含み、
　前記管理手段は、
　電源投入を判定する電源投入判定手段と、
　前記電源投入判定手段の判定結果に基づいて、前記封入球交換手段に対し、前記封入球の交換を指令する封入球交換指令手段と、
を備えた遊技設備装置である点。
　
（相違点１）
　管理手段を設ける位置に関して、本願発明においては管理手段を遊技機とは別に設けているのに対し、引用発明においては管理手段が遊技機に含まれる点。
　
（相違点２）
　電源投入判定手段が、本願発明においては、営業時間以外の電源投入であるか否かを判定するのに対し、引用発明においては、単に電源の投入が行われたか否かを判定する点。
　
（相違点３）
　管理手段の構成に関して、本願発明においては、遊技機において使用されている封入球が交換時期に至ったことを判定する交換時期判定手段を備え、交換時期判定手段の判定結果および電源投入判定手段の判定結果に基づいて、封入球の交換を指令するのに対し、引用発明においては、そのような交換時期判定手段を備えておらず、電源投入判定手段の判定結果のみに基づいて、封入球の交換を指令する点。
　
　
４．当審の判断
（１）相違点１について
　遊技設備装置において遊技機とは別に設けた管理装置により遊技機を集中的に管理することは、本願出願前において周知であり、該管理装置から遊技機の球抜き指令を出力することも周知である（原査定の拒絶の理由で提示した実公平１−２２６９４号公報）。
　よって、管理手段を遊技機とは別に設けることは、当業者であれば容易に想到し得る事項である。
　
（２）相違点２について
　上記記載事項（１−１３）に記載されているように、通常は遊技店の開店前の営業時間以外に電源が投入されて封入球の入れ替えを行うものである。そして、遊技店の開店中は電源の供給を継続することが慣用されていることを勘案すると、上記記載事項（１−１３）は、封入球の交換は１日に１回行えば十分であることを示唆しているといえる。よって、必要以上に封入球の交換が行われないようにするために、入れ替えの契機となる電源投入を営業時間以外のものに限定し、相違点２における本願発明の構成を得ることは、当業者であれば容易に想到し得る事項である。
　
（３）相違点３について
　封入球の交換は、封入球の汚れ等による遊技盤の汚れを防止するために行うものであるから、封入球の汚れ具合が封入球を交換する時期を決定するための重要な要件であることは、当業者には明らかである。
　そして、汚れや劣化等により交換が必要となるものにおいて、使用期間又は使用頻度に対応するパラメータにより間接的に汚れや劣化等の程度を判断して交換時期に至ったことを判定する交換時期判定手段を設けることは、本願出願前において周知である（特開昭５４−３７７６０号公報、特開昭６０−５４７４８号公報、特開昭６１−１１３５３２号公報）。
　また、遊技機において、遊技中に突然封入球の交換が行われることが好ましくないことは、当業者には明らかである。
　よって、封入球の交換時期を適正化するために、引用発明における管理手段に上記周知技術を適用して封入球の交換時期判定手段を設け、その際、遊技中に突然封入球の交換が行われないようにするために前記電源投入判定手段の判定結果と合わせて封入球の交換を指令するようにし、相違点３における本願発明の構成を得ることは、当業者であれば容易に想到し得る事項である。
　
（４）本願発明の作用効果について
　本願の明細書に記載された本願発明の作用効果は、引用発明及び上記各周知技術に基づいて当業者が容易に予測できるものである。
　
　よって、本願発明は、引用発明に基づいて当業者が容易に発明をすることができたものである。
　
　
５．むすび
　したがって、本願請求項１に係る発明は、引用刊行物に記載された発明に基づいて当業者が容易に発明をすることができたものであるので、特許法第２９条第２項の規定により特許を受けることができない。
　よって、結論のとおり審決する。